(57)【要約】【課題】少なくとも二つの回動部材を、不使用時に収容して外観性を良くしながら、収容時も突出時も互いに干渉せずにそれぞれ回動可能にし、かつ、各々の回動軸を収容する凹みを本体にそれぞれ設ける必要がなく、コストを抑えて本体の内部容積の減少も抑えられるようにする。【解決手段】本体５に対し少なくとも二つの回動部材７・８を各々の回動軸６ａ・８ａを介してそれぞれ回動可能に取り付ける構造であって、本体５に、各々の回動軸６ａ・８ａを並べて収容する共通の凹み５ａを設ける。具体的には、本体５の背面上部に形成した共通の凹み５ａに回動軸６ａを介して取り付けられて本体５上にチルトアップ動作可能な表示部７と、共通の凹み５ａに回動軸８ａを介して取り付けられて本体５を支えるスタンド８と、を備える。そして、本体５の背面上部に形成した共通の凹み５ａから本体５背面に各々沿わせる曲がり形状６ｂ・８ｂが略平行に形成されている。【選択図】図５
2015079190.tif 000002
【特許請求の範囲】
【請求項１】
本体に対し少なくとも二つの回動部材を各々の回動軸を介してそれぞれ回動可能に取り付ける構造であって、
前記本体に、前記各々の回動軸を並べて収容する共通の凹みを設けたことを特徴とする回動部材の回動軸収容構造。
【請求項２】
前記少なくとも二つの回動部材として、
前記本体の背面上部に形成した前記共通の凹みに前記回動軸を介して取り付けられて前記本体上にチルトアップ動作可能な表示部と、
前記共通の凹みに前記回動軸を介して取り付けられて前記本体を支えるスタンドと、を備えることを特徴とする請求項１に記載の回動部材の回動軸収容構造。
【請求項３】
前記少なくとも二つの回動部材は、前記本体の背面上部に形成した前記共通の凹みから前記本体背面に各々沿わせる曲がり形状が略平行に形成されていることを特徴とする請求項１または２に記載の回動部材の回動軸収容構造。
【請求項４】
前記少なくとも二つの回動部材は、前記本体背面側への収容時も前記本体背面側からの突出時も互いに干渉せずにそれぞれ大きく回動動作することを特徴とする請求項１から３のいずれか一項に記載の回動部材の回動軸収容構造。
【請求項５】
前記スタンドは、一側部側が斜めの左右非対称形状に形成されていることを特徴とする請求項２に記載の回動部材の回動軸収容構造。
【請求項６】
請求項１から５のいずれか一項に記載の回動軸収容構造による複数の回動部材を備えることを特徴とする電子機器。
【発明の詳細な説明】
【技術分野】
【０００１】
本発明は、液晶モニタとスタンド等の複数の回動部材の回動軸収容構造と、その回動軸収容構造による複数の回動部材を備える電子機器に関する。
【背景技術】
【０００２】
カメラにおいて、本体に対しヒンジユニットを介して液晶モニタを回転可能に備えたものがある（例えば特許文献１参照）。
また、本体の背面にカメラの光軸の向き（角度）を調整できるようにスタンドを設けたものもある（例えば特許文献２参照）。
【０００３】
従来の液晶モニタとスタンドの両者を装備したカメラの一例を図１０から図１２に示す。図中、１は本体、２はヒンジユニット、３は液晶モニタ、４はスタンドである。
なお、ヒンジユニット２は、特許文献３に開示される略平行四辺形リンク機構をケースに内蔵して構成される。
【０００４】
図１０及び図１２に示すように、カメラのスタンド４は、そのスタンド軸４ａを中心に本体１に対し回動して所望の角度まで開き、本体１を保持できる。
ヒンジユニット２は、本体１から前記略平行四辺形リンク機構により引き出されて、そのヒンジ軸２ａを中心に液晶モニタ３が１８０°回動して反転したチルトアップ状態となることで、自分撮りができる。
また、図１２に示すように、スタンド４の側面で支えて本体１を縦置きできる。
【０００５】
撮影終了後、液晶モニタ３は、ヒンジユニット２を介し反転して本体１の背面に収められる。
また、スタンド４は、スタンド軸４ａを介し回動してヒンジユニット２及び液晶モニタ３の内側に収められる。
【先行技術文献】
【特許文献】
【０００６】
【特許文献１】特開２０１２−８０４００号公報
【特許文献２】特開２００３−５２６６号公報
【特許文献３】実用新案登録第３１７９３２８号公報
【発明の概要】
【発明が解決しようとする課題】
【０００７】
ところで、前述したような液晶モニタを１８０°回動させてチルトアップさせられるヒンジ機構を持つカメラにおいて、スタンドを付ける場合、不使用時に外部に露出しているようでは、外観が良くないし、何かに引っ掛けてしまう虞もある。
【０００８】
そのため、スタンド４は、図１１に示すように、ヒンジユニット２の下方に配置され、その形状は小形になってしまう。
さらに、ヒンジユニット２の略平行四辺形リンク機構の部分を避けるために、スタンド４の横幅が狭いため、本体１を広い範囲で保持できなく、安定性に劣るという問題がある。
【０００９】
すなわち、図１３から図１５は模式図で、図１３はスタンド４を使用して本体１の仰角が最も小さい状態を示している。図示のように、本体１の重心からの荷重Ｗはスタンドと接近しており、かつ、本体１の重心がスタンド４のスタンド軸４ａよりも高い位置にあるので、安定性に余裕がない状態である。
図１４はスタンド４を使用して本体１の実使用上の最大仰角の状態を示し、図１５はその背面図を示している。図示のように、重心からの荷重Ｗとスタンド４の右端４ｄが比較的に接近しており、かつ、本体１の重心がスタンド４のスタンド軸４ａよりも高い位置にあるので、安定性が劣る。
【００１０】
また、液晶モニタのヒンジ部を断面コの字形状やＣの字形状にすれば前記ヒンジユニット２よりも小型になるが、強度確保のために厚みや太さを増やさざるを得ず、そのヒンジ部を収容する凹みを本体の背面上部に形成しなくてはならない。
その場合、外部から見えないように収納できるスタンドを取り付けるにしても、そのヒンジ部が出っ張らないようにし、かつ回動できるようにするため、別の凹みを本体に形成しなくてはならなくなる。
そうすると、二つの凹みを本体に形成しなければならず、本体を成型する金型が複雑になるし、凹みの分、本体の内部容積が少なくなり、機器の小型化や熱問題に支障を来たしてしまう。
【００１１】
本発明の課題は、少なくとも二つの回動部材を、不使用時に収容して外観性を良くしながら、収容時も突出時も互いに干渉せずにそれぞれ回動可能にし、かつ、各々の回動軸を収容する凹みを本体にそれぞれ設ける必要がなく、コストを抑えて本体の内部容積の減少も抑えられるようにすることである。
【課題を解決するための手段】
【００１２】
以上の課題を解決するため、本発明は、
本体に対し少なくとも二つの回動部材を各々の回動軸を介してそれぞれ回動可能に取り付ける構造であって、
前記本体に、前記各々の回動軸を並べて収容する共通の凹みを設けた、回動部材の回動軸収容構造を特徴とする。
【発明の効果】
【００１３】
本発明によれば、少なくとも二つの回動部材を、不使用時に収容して外観性を良くしながら、収容時も突出時も互いに干渉せずにそれぞれ回動させることができ、かつ、各々の回動軸を収容する共通の凹みを本体に設けるだけでよいため、コストを抑えて本体の内部容積の減少も抑えることができる。
【図面の簡単な説明】
【００１４】
【図１】本発明を適用した電子機器の一実施形態の構成を示すもので、カメラを正面側から見た斜視図である。
【図２】図１のカメラを背面側から見た斜視図である。
【図３】図１のカメラの縦断側面図である。
【図４】図２のスタンドが本体に収まった状態を示した図である。
【図５】本体にヒンジプレート及び液晶モニタとスタンドが収まった状態を示す概略縦断面図である。
【図６】図２のカメラをスタンドで横置きした状態を示した斜視図である。
【図７】図１のスタンドを使用して本体の仰角が最も小さい状態を模式的に示した側面図である。
【図８】図１のスタンドを使用して本体の実使用上の最大仰角の状態を模式的に示した側面図である。
【図９】図１のスタンドが本体に収まった状態を示した背面図である。
【図１０】従来の液晶モニタとスタンドを装備したカメラの一例を示す斜視図で、液晶モニタをチルトアップしてスタンドの使用状態を示した図である。
【図１１】図１０の状態のカメラの背面図である。
【図１２】図１０のカメラをスタンドで縦置きした状態を示した側面図である。
【図１３】図１０のスタンドを使用して本体の仰角が最も小さい状態を模式的に示した側面図である。
【図１４】図１０のスタンドを使用して本体の実使用上の最大仰角の状態を模式的に示した側面図である。
【図１５】図１０のスタンドが本体に収まった状態を示した背面図である。
【発明を実施するための形態】
【００１５】
以下、図を参照して本発明を実施するための形態を詳細に説明する。
（実施形態）
図１から図３は本発明を適用した電子機器の一実施形態の構成としてカメラを示すものである。
【００１６】
図示のように、カメラは、本体５の背面側からヒンジプレート６の回動軸６ａを中心に液晶モニタ７が回動して、概ね１８０°開いて本体５上に液晶モニタ７が垂直に立った状態となっている。
【００１７】
すなわち、ヒンジプレート６は、液晶モニタ７の背面に結合されて、その下部に左右一対をなす板金製の回動軸６ａが一体に形成されている。
この板金製の回動軸６ａは、図示のように、本体５の背面上部の左右に形成される共通の凹み５ａにおいて、回転可能に軸受されている。これにより、回動軸６ａを中心にして液晶モニタ７が回動する。
【００１８】
図示例において、板金製の回動軸６ａの一部が本体５背面側に出っ張っているのは、本体５の上面に逃げの切欠きを形成する必要をなくすためや、液晶モニタ７を上方へ垂直に立てるためなどである。そして、板金製の回動軸６ａの幅が広いのは、必要な強度を確保するためである。
また、ヒンジプレート６の回動軸６ａを含む板金部は、図示のように、本体５の背面から液晶モニタ７に向かう曲がり形状部６ｂとなっており、言い方を変えると、後述する収容時には、本体５の背面から共通の凹み５ａに向かう曲がり形状部６ｂとなっている。
【００１９】
そして、本体５の背面上部には、スタンド８が左右一対の回動軸８ａで回動可能に取り付けられている。
この回動軸８ａは、図示のように、本体５の背面上部左右の共通の凹み５ａにおいて、回動軸６ａの直下に接近するように上下に並べて回転可能に軸受されている。これにより、回動軸８ａを中心にしてスタンド８が回動する。
【００２０】
すなわち、スタンド８は、本体５背面上部の回動軸８ａを中心にして、図示のように、所望の角度まで開き、本体５を背面上部で保持する。
なお、回動軸８ａには、図示しないが、板ばねが挟まっていてブレーキが掛かり、どの角度でもスタンド８を保持できる構造になっている。
また、スタンド８の回動軸８ａ側の端部は、図示のように、本体５の背面から共通の凹み５ａに向かう曲がり形状部８ｂとなっている。
【００２１】
図４はスタンド８が本体５の背面に収まった状態を示す。
スタンド８の左側部は、図示のように、回動軸８ａと反対側が幅狭となる傾斜部８ｃとなった左右非対称形状に形成されている。
【００２２】
図５は本体５の背面にヒンジプレート６及び液晶モニタ７とスタンド８が収まった状態を縦断面で示す。
図示のように、ヒンジプレート６の回動軸６ａを含む板金部による曲がり形状部６ｂと、スタンド８の回動軸８ａ側端部の曲がり形状部８ｂとが略平行に重なるように収容されている。
従って、本体５の背面にヒンジプレート６及び液晶モニタ７とスタンド８をコンパクトに収容できる。
【００２３】
以上のカメラは、図１から図３に示すように、回動軸６ａを中心に液晶モニタ７が１８０°回動して反転することにより本体５上に垂直に起立したチルトアップ状態となることで、自分撮りができる。
【００２４】
さらに、図６に示すように、スタンド８の側面で支えて本体５を縦置きできる。
この本体５の縦置き状態において、スタンド８の下側部が傾斜部８ｃとなっているので、安定性良く本体５を傾斜状態に保持できる。
【００２５】
そして、スタンド８の一対の回動軸８ａは、ヒンジプレート６の一対の回動軸６ａと左右方向で同位置に配置しているため、スタンド８の横幅をヒンジプレート６と同幅に広くでき、本体５をスタンド８で支える際の安定性が高い。
すなわち、本体５とスタンド８が接地する領域で、本体５をスタンド８により広い範囲で保持することで、安定性が良い。
【００２６】
また、スタンド８の回動軸８ａは、ヒンジプレート６の回動軸６ａの下側のスペースに効率よく配置されることで、スタンド８の長さを確保できる。
【００２７】
次に、図７から図９は模式図で、図７はスタンド８を使用して本体５の仰角が最も小さい状態を示している。
図示のように、本体５の重心からの荷重Ｗは、スタンド８と距離があり、かつ、本体５の重心がスタンド８の回動軸８ａよりも低い位置にあるので、安定性に余裕がある。
【００２８】
図８はスタンド８を使用して本体５の実使用上の最大仰角の状態を示している。
図示のように、本体５の重心からの荷重Ｗは、スタンド８と距離が十分あり、安定していることがわかる。
【００２９】
図９はスタンド８を使用した状態を背面から示している。
図示のように、本体５の重心からの荷重Ｗとスタンド８の右端８ｅの距離があり、かつ、本体５の重心がスタンド８の回動軸８ａよりも低い位置にあるので、安定性が良い。
【００３０】
以上の通り、本体５の背面上部に形成した左右一対の共通の凹み５ａにおいて、液晶モニタ７の左右一対の回動軸６ａが各々配置されることに加え、その下側のスペースにスタンド８の左右一対の回動軸８ａがそれぞれ効率よく配置されることで、スタンド８の長さを確保することができるとともに、そのスタンド８により本体５を広い範囲で保持することができる。
すなわち、スタンド８の回動軸８ａの位置をヒンジプレート６の幅に合わせて広げられるため、スタンド８の使用時の安定性を高めることができる。
従って、本体５を広い範囲で保持して安定性が良いスタンド８を提供することができる。
【００３１】
そして、液晶モニタ７とスタンド８を、本体５背面側への収容時も本体５背面側からの突出時においても、互いに干渉せずにそれぞれ大きく回動動作させることができる。
【００３２】
以上、実施形態の二つの回動部材の回動軸収容構造によれば、液晶モニタ７の回動軸６ａとスタンド８の回動軸８ａを、本体５の背面上部に設けた共通の凹み５ａの上下に収容したので、液晶モニタ７とスタンド８を、各々の不使用時に収容して外観性を良くしながら、各々の収容時も突出時も互いに干渉せずにそれぞれ回動させることができる。
しかも、本体５には、各々の回動軸６ａ・８ａを収容する共通の凹み５ａを設けるだけでよいため、コストを抑えて本体５の内部容積の減少も抑えることができる。
【００３３】
（変形例）
以上の実施形態においては、カメラの液晶モニタとスタンドとしたが、本発明はこれに限定されるものではなく、他の表示部や、他に各種機器のカバーやハンドルなど他の少なくとも二つの回動部材であってもよい。
さらに、カメラに限らず、カメラを備える携帯電話や、外枠に対し回動軸を介して取り付ける本体枠に対し回動軸を介して前扉枠を取り付けるパチンコ機など他の電子機器であってもよい。
また、回動部材の形状等も任意であり、その他、具体的な細部構造等についても適宜に変更可能であることは勿論である。
【００３４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
本体に対し少なくとも二つの回動部材を各々の回動軸を介してそれぞれ回動可能に取り付ける構造であって、
前記本体に、前記各々の回動軸を並べて収容する共通の凹みを設けたことを特徴とする回動部材の回動軸収容構造。
＜請求項２＞
前記少なくとも二つの回動部材として、
前記本体の背面上部に形成した前記共通の凹みに前記回動軸を介して取り付けられて前記本体上にチルトアップ動作可能な表示部と、
前記共通の凹みに前記回動軸を介して取り付けられて前記本体を支えるスタンドと、を備えることを特徴とする請求項１に記載の回動部材の回動軸収容構造。
＜請求項３＞
前記少なくとも二つの回動部材は、前記本体の背面上部に形成した前記共通の凹みから前記本体背面に各々沿わせる曲がり形状が略平行に形成されていることを特徴とする請求項１または２に記載の回動部材の回動軸収容構造。
＜請求項４＞
前記少なくとも二つの回動部材は、前記本体背面側への収容時も前記本体背面側からの突出時も互いに干渉せずにそれぞれ大きく回動動作することを特徴とする請求項１から３のいずれか一項に記載の回動部材の回動軸収容構造。
＜請求項５＞
前記スタンドは、一側部側が斜めの左右非対称形状に形成されていることを特徴とする請求項２に記載の回動部材の回動軸収容構造。
＜請求項６＞
請求項１から５のいずれか一項に記載の回動軸収容構造による複数の回動部材を備えることを特徴とする電子機器。
【符号の説明】
【００３５】
５  本体
５ａ  共通の凹み
６  ヒンジプレート
６ａ  回動軸
６ｂ  曲がり形状部
７  液晶モニタ（回動部材、表示部）
８  スタンド（回動部材）
８ａ  回動軸
８ｂ  曲がり形状部
８ｃ  傾斜部
【図１】
2015079190.tif 000003
【図２】
2015079190.tif 000004
【図３】
2015079190.tif 000005
【図４】
2015079190.tif 000006
【図５】
2015079190.tif 000007
【図６】
2015079190.tif 000008
【図７】
2015079190.tif 000009
【図８】
2015079190.tif 000010
【図９】
2015079190.tif 000011
【図１０】
2015079190.tif 000012
【図１１】
2015079190.tif 000013
【図１２】
2015079190.tif 000014
【図１３】
2015079190.tif 000015
【図１４】
2015079190.tif 000016
【図１５】
2015079190.tif 000017
【手続補正書】
【提出日】平成26年9月11日(2014.9.11)
【手続補正１】
【補正対象書類名】明細書
【補正対象項目名】００１４
【補正方法】変更
【補正の内容】
【００１４】
【図１】本発明を適用した電子機器の一実施形態の構成を示すもので、カメラを側面側から見た斜視図である。
【図２】図１のカメラを背面側から見た斜視図である。
【図３】図１のカメラの縦断側面図である。
【図４】図２のスタンドが本体に収まった状態を示した図である。
【図５】本体にヒンジプレート及び液晶モニタとスタンドが収まった状態を示す概略縦断面図である。
【図６】図２のカメラをスタンドで縦置きした状態を示した斜視図である。
【図７】図１のスタンドを使用して本体の仰角が最も小さい状態を模式的に示した側面図である。
【図８】図１のスタンドを使用して本体の実使用上の最大仰角の状態を模式的に示した側面図である。
【図９】図１のスタンドが使用されている状態を示した背面図である。
【図１０】従来の液晶モニタとスタンドを装備したカメラの一例を示す斜視図で、液晶モニタをチルトアップしてスタンドの使用状態を示した図である。
【図１１】図１０の状態のカメラの背面図である。
【図１２】図１０のカメラをスタンドで縦置きした状態を示した側面図である。
【図１３】図１０のスタンドを使用して本体の仰角が最も小さい状態を模式的に示した側面図である。
【図１４】図１０のスタンドを使用して本体の実使用上の最大仰角の状態を模式的に示した側面図である。
【図１５】図１０のスタンドが本体に収まった状態を示した背面図である。
【手続補正２】
【補正対象書類名】特許請求の範囲
【補正対象項目名】全文
【補正方法】変更
【補正の内容】
【特許請求の範囲】
【請求項１】
本体に対し少なくとも二つの回動部材を各々の回動軸を介してそれぞれ回動可能に取り付ける構造であって、
前記本体に、前記各々の回動軸を並べて収容する共通の凹みを設けたことを特徴とする回動部材の回動軸収容構造。
【請求項２】
前記共通の凹みは、前記本体の端部に設けられており、前記少なくとも二つの回動部材は、互いに機能的に異なる独立した部材であることを特徴とする請求項１に記載の回動部材の回動軸収容構造。
【請求項３】
前記少なくとも二つの回動部材として、
前記本体の背面上部に形成した前記共通の凹みに前記回動軸を介して取り付けられて前記本体上にチルトアップ動作可能な表示部と、
前記共通の凹みに前記回動軸を介して取り付けられて前記本体を支えるスタンドと、を備えることを特徴とする請求項１または２に記載の回動部材の回動軸収容構造。
【請求項４】
前記少なくとも二つの回動部材は、前記本体の背面上部に形成した前記共通の凹みから前記本体背面に各々沿わせる曲がり形状が略平行に形成されていることを特徴とする請求項１から３のいずれか一項に記載の回動部材の回動軸収容構造。
【請求項５】
前記少なくとも二つの回動部材は、前記本体背面側への収容時も前記本体背面側からの突出時も互いに干渉せずにそれぞれ大きく回動動作することを特徴とする請求項１から４のいずれか一項に記載の回動部材の回動軸収容構造。
【請求項６】
前記スタンドは、一側部側が斜めの左右非対称形状に形成されていることを特徴とする請求項３に記載の回動部材の回動軸収容構造。
【請求項７】
請求項１から６のいずれか一項に記載の回動軸収容構造による複数の回動部材を備えることを特徴とする電子機器。